(57)【要約】【課題】有料会員への登録を効果的に促すことが可能な特典提示装置、特典提示プログラム、及び特典提示方法を提供すること。【解決手段】特典提示装置は、取得処理部と、選出処理部と、提示処理部とを備える。前記取得処理部は、有料会員に関する費用を示す会費情報を取得する。前記選出処理部は、有料会員に提供される複数の有料会員用特典の中から、前記会費情報に応じて一又は複数の提示用特典を選出する。前記提示処理部は、前記提示用特典に関する情報を有料会員以外のユーザに提示する。【選択図】図６
2019135582.tif 000002
【特許請求の範囲】
【請求項１】
有料会員に関する費用を示す会費情報を取得する取得処理部と、
有料会員に提供される複数の有料会員用特典の中から、前記会費情報に応じて一又は複数の提示用特典を選出する選出処理部と、
前記提示用特典に関する情報を有料会員以外のユーザに提示する提示処理部と、
を備える特典提示装置。
【請求項２】
前記選出処理部は、前記有料会員用特典を利用した場合に得られる利益が特定期間に対応する前記費用以上である前記有料会員用特典を、前記提示用特典として選出する、
請求項１に記載の特典提示装置。
【請求項３】
前記有料会員用特典各々について、当該有料会員用特典を利用した場合に得られる利益を算出する算出処理部を更に備える、
請求項２に記載の特典提示装置。
【請求項４】
前記算出処理部は、前記有料会員用特典に対応する割引率と、前記有料会員用特典に対応する店舗の平均予算とを乗算することにより、前記有料会員用特典についての前記利益を算出する、
請求項３に記載の特典提示装置。
【請求項５】
前記特別期間中についての前記費用を徴収すると共に、前記特別期間の終了後に当該徴収した費用分をキャシュバックする課金処理部を更に備える、
請求項２〜４のいずれかに記載の特典提示装置。
【請求項６】
前記提示処理部による前記提示用特典に関する情報の提示を受けたユーザによる有料会員への登録操作を受け付ける受付処理部を更に備える、
請求項１〜５のいずれかに記載の特典提示装置。
【請求項７】
前記提示処理部は、前記提示用特典に関する情報を含む登録受付ページを前記ユーザに提示し、
前記受付処理部は、前記登録受付ページに対する特定操作を前記登録操作として受け付ける、
請求項６に記載の特典提示装置。
【請求項８】
一又は複数のプロセッサに、
有料会員に関する費用を示す会費情報を取得することと、
有料会員に提供される複数の有料会員用特典の中から、前記会費情報に応じて一又は複数の提示用特典を選出することと、
前記提示用特典に関する情報を有料会員以外のユーザに提示することと、
を実行させる特典提示プログラム。
【請求項９】
有料会員に関する費用を示す会費情報を取得することと、
有料会員に提供される複数の有料会員用特典の中から、前記会費情報に応じて一又は複数の提示用特典を選出することと、
前記提示用特典に関する情報を有料会員以外のユーザに提示することと、
を含む特典提示方法。
【発明の詳細な説明】
【技術分野】
【０００１】
本発明は、特典提示装置、特典提示プログラム、及び特典提示方法に関する。
【背景技術】
【０００２】
ユーザの会員種別が有料会員であるか無料会員であるかに応じて、前記ユーザに対して異なるサービス、機能、又は情報が提供されることがある（例えば、特許文献１参照）。
【先行技術文献】
【特許文献】
【０００３】
【特許文献１】特開２０１７−０７８８１２号公報
【発明の概要】
【発明が解決しようとする課題】
【０００４】
ところで、有料会員への登録を促すために、有料会員に初めて登録してから最初の１年間をお試し期間とし、お試し期間の終了後に、当該お試し期間中の会費（例えば、月会費が３００円である場合は３，６００円）をキャッシュバックするキャッシュバックキャンペーンを行うことが考えられる。
【０００５】
前記キャッシュバックキャンペーンでは、お試し期間の終了後に当該お試し期間中の会費がキャッシュバックされる。よって、仮にお試し期間中に有料会員用のサービスを全く利用しなかったとしても、お試し期間が終了するまでは月会費を支払い続ける必要があり、その点がユーザにとって懸念事項となる。そのため、前記キャッシュバックキャンペーンを行うだけでは、有料会員への登録を促す効果は不十分である。
【０００６】
本発明の目的は、有料会員への登録を効果的に促すことが可能な特典提示装置、特典提示プログラム、及び特典提示方法を提供することにある。
【課題を解決するための手段】
【０００７】
本発明に係る特典提示装置は、取得処理部と、選出処理部と、提示処理部とを備える。前記取得処理部は、有料会員に関する費用を示す会費情報を取得する。前記選出処理部は、有料会員に提供される複数の有料会員用特典の中から、前記会費情報に応じて一又は複数の提示用特典を選出する。前記提示処理部は、前記提示用特典に関する情報を有料会員以外のユーザに提示する。
【０００８】
本発明に係る特典提示プログラムは、一又は複数のプロセッサに、有料会員に関する費用を示す会費情報を取得することと、有料会員に提供される複数の有料会員用特典の中から、前記会費情報に応じて一又は複数の提示用特典を選出することと、前記提示用特典に関する情報を有料会員以外のユーザに提示することとを実行させる特典提示プログラムである。
【０００９】
本発明に係る特典提示方法は、有料会員に関する費用を示す会費情報を取得することと、有料会員に提供される複数の有料会員用特典の中から、前記会費情報に応じて一又は複数の提示用特典を選出することと、前記提示用特典に関する情報を有料会員以外のユーザに提示することとを含む。
【発明の効果】
【００１０】
本発明によれば、有料会員への登録を効果的に促すことが可能な特典提示装置、特典提示プログラム、及び特典提示方法が提供される。
【図面の簡単な説明】
【００１１】
【図１】図１は、本発明の実施の形態に係る特典提示システムの構成を示すブロック図である。
【図２】図２は、本発明の実施の形態に係る特典提示システムで使用されるユーザ情報の一例を示す図である。
【図３】図３は、本発明の実施の形態に係る特典提示システムで使用される店舗情報の一例を示す図である。
【図４】図４は、本発明の実施の形態に係る特典提示システムで使用されるクーポン情報の一例を示す図である。
【図５】図５は、本発明の実施の形態に係る特典提示システムで使用される会費情報の一例を示す図である。
【図６】図６は、本発明の実施の形態に係る特典提示装置で実行される特典提示処理の手順の一例を示すフローチャートである。
【図７】図７は、本発明の実施の形態に係る特典提示システムにおいてユーザ端末に表示される登録受付ページの一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［特典提示システム１］
図１に示すように、本発明の実施形態に係る特典提示システム１は、特典提示装置２と一又は複数のユーザ端末３とを含む。特典提示装置２及びユーザ端末３は、インターネット、ＬＡＮ、ＷＡＮ、又は公衆電話回線などの通信網Ｎ１を介して通信可能である。
【００１４】
特典提示装置２は、例えば、飲食店に関する情報を提供する飲食店情報提供業者によって管理されるサーバであって、ユーザ端末３を操作するユーザに対して、予め登録されている飲食店に関する情報を提供する機能を備える。前記飲食店は、本発明における「店舗」の一例である。
【００１５】
特典提示装置２は、前記飲食店で利用可能なクーポンの情報を提示する機能も備える。前記クーポンの情報は、本発明における「特典情報」の一例である。前記クーポンは、有料会員又は無料会員として登録されたユーザに対して、前記飲食店情報提供業者から提供される。前記クーポンには、有料会員にのみ提供される有料会員用クーポンと、全ての会員（すなわち、有料会員及び無料会員）に提供されるクーポンとが含まれる。有料会員用クーポンは、他のクーポンよりも得なクーポン（例えば、他のクーポンよりも割引率が高いクーポンなど）である。ユーザは、前記飲食店情報提供業者に対して所定の会費（例えば、３００円の月会費）を支払うことによって有料会員になることができる。有料会員用クーポンは、本発明における「有料会員用特典」の一例である。
【００１６】
ところで、有料会員への登録を促すために、有料会員に初めて登録してから最初の１年間をお試し期間とし、お試し期間の終了後に、当該お試し期間中の会費（例えば、月会費が３００円である場合は３，６００円）をキャッシュバックするキャッシュバックキャンペーンを行うことが考えられる。前記キャッシュバックキャンペーンでは、お試し期間の終了後に当該お試し期間中の会費がキャッシュバックされる。よって、仮にお試し期間中に有料会員用のサービスを全く利用しなかったとしても、お試し期間が終了するまでは月会費を支払い続ける必要があり、その点がユーザにとって懸念事項となる。そのため、前記キャッシュバックキャンペーンを行うだけでは、有料会員への登録を促す効果は不十分である。これに対して、本実施形態に係る特典提示システム１によれば、有料会員への登録を効果的に促すことが可能である。
【００１７】
［特典提示装置２］
図１に示されるように、特典提示装置２は、制御部２１、記憶部２２、操作表示部２３、及び通信Ｉ／Ｆ２４を備える。なお、特典提示装置２は、１台のコンピュータに限らず、複数台のコンピュータが協働して動作するコンピュータシステムであってもよい。また、特典提示装置２で実行される各種の処理は、一又は複数のプロセッサによって分散して実行されてもよい。
【００１８】
通信Ｉ／Ｆ２４は、特典提示装置２を有線又は無線で通信網Ｎ１に接続し、通信網Ｎ１を介してユーザ端末３などの外部機器との間で所定の通信プロトコルに従ったデータ通信を実行するための通信インタフェースである。
【００１９】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザインタフェースである。
【００２０】
記憶部２２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部２２には、ユーザ情報Ｄ１、店舗情報Ｄ２、クーポン情報Ｄ３、会費情報Ｄ４などのデータが記憶される。ここに、図２はユーザ情報Ｄ１の一例を示す図、図３は店舗情報Ｄ２の一例を示す図である。また、図４はクーポン情報Ｄ３の一例を示す図、図５は会費情報Ｄ４の一例を示す図である。
【００２１】
図２に示されるように、ユーザ情報Ｄ１には、ユーザ端末３のユーザごとに、対応する「ユーザＩＤ」、「パスワード」、及び「会員種別」の情報が含まれる。「ユーザＩＤ」は、前記ユーザを識別するための識別情報である。「ユーザＩＤ」及び「パスワード」は、前記ユーザのログイン処理で使用される。「会員種別」は、前記ユーザが有料会員及び無料会員のいずれの会員であるかを示す。
【００２２】
図３に示されるように、店舗情報Ｄ２には、飲食店ごとに、対応する「店舗ＩＤ」、「エリア」、「業態」、及び「平均予算」の情報が含まれる。「店舗ＩＤ」は、前記飲食店を識別するための識別情報である。「エリア」は、前記飲食店の所在地を示し、「業態」は、前記飲食店で提供される料理ジャンルなどに基づく前記飲食店の分類である。「平均予算」は、前記飲食店を利用するときに必要となる平均的な飲食代である。
【００２３】
図４に示されるように、クーポン情報Ｄ３には、前記飲食店情報提供業者が提供可能なクーポンごとに、対応する「クーポンＩＤ」、「対象店舗」、「割引率」、及び「対象ユーザ」の情報が含まれる。「クーポンＩＤ」は、前記クーポンを識別するための識別情報である。「対象店舗」は、前記クーポンを利用可能な飲食店を示す。「割引率」は、前記クーポンを利用した場合に飲食代から割り引かれる金額の比率である。「対象ユーザ」は、前記クーポンの提供対象となるユーザの会員種別を示す。例えば、クーポンＩＤが「０００２」であるクーポンは、有料会員のみに提供される有料会員用クーポンである。一方、クーポンＩＤが「０００１」であるクーポンは、全ての会員に提供される、すなわち有料会員だけでなく無料会員にも提供されるクーポンである。
【００２４】
図５に示されるように、会費情報Ｄ４には、「入会費」、「月会費」、及び「年会費」の情報が含まれる。「入会費」は、有料会員になるために最初に必要となる会費である。「月会費」は、有料会員を続けるために必要な１ヶ月当たりの会費である。「年会費」は、有料会員を続けるために必要な１年当たりの会費である。なお、他の実施形態では、会費情報Ｄ４に「入会費」、「月会費」、及び「年会費」のいずれか１つ又はいずれか２つの情報のみが含まれてもよい。
【００２５】
なお、他の実施形態として、ユーザ情報Ｄ１、店舗情報Ｄ２、クーポン情報Ｄ３、会費情報Ｄ４などの情報の一部又は全部が、特典提示装置２から通信網Ｎ１を介してアクセス可能な他のサーバに記憶されていることも考えられる。そして、特典提示装置２の制御部２１は、前記サーバから各種の情報を取得して、後述の特典提示処理（図６参照）などの各処理を実行してもよい。
【００２６】
なお、記憶部２２には、後述の登録受付ページＰ１（図７参照）のデータも記憶される。また、記憶部２２には、前記飲食店の情報を提供するための飲食店情報ページ（不図示）のデータ、前記飲食店で提供される料理のメニューを検索するための検索ページ（不図示）のデータなども記憶される。
【００２７】
さらに、記憶部２２には、制御部２１に後述の特典提示処理（図６参照）を実行させるための特典提示プログラムなどの制御プログラムが記憶されている。例えば、前記特典提示プログラムは、ＣＤ又はＤＶＤなどのコンピュータ読取可能な記録媒体に非一時的に記録されており、特典提示装置２が備えるＣＤドライブ又はＤＶＤドライブなどの読取装置（不図示）で読み取られて記憶部２２に記憶される。
【００２８】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより特典提示装置２を制御する。
【００２９】
具体的に、制御部２１は、図１に示されるように、取得処理部２１１、選出処理部２１２、提示処理部２１３、算出処理部２１４、課金処理部２１５、受付処理部２１６などの各種の処理部を含む。なお、制御部２１は、前記ＣＰＵで前記特典提示プログラムに従った各種の処理を実行することによって前記各種の処理部として機能する。また、制御部２１に含まれる一部又は全部の処理部が電子回路で構成されていてもよい。なお、前記特典提示プログラムは、複数のプロセッサを前記各種の処理部として機能させるためのプログラムであってもよい。
【００３０】
取得処理部２１１は、有料会員に関する費用（以下、会費と称する）を示す会費情報Ｄ４を取得する。具体的に、取得処理部２１１は、記憶部２２から会費情報Ｄ４を取得する。
【００３１】
選出処理部２１２は、有料会員に提供される複数の有料会員用クーポンの中から、会費情報Ｄ４に応じて一又は複数の提示用クーポンを選出する。提示用クーポンは、本発明における「提示用特典」の一例である。
【００３２】
例えば、選出処理部２１２は、有料会員用クーポンを利用した場合に得られる利益が特定期間に対応する前記費用以上である有料会員用クーポンを、提示用クーポンとして選出する。例えば、前記特定期間が１年間であり、入会費が０円であり、年会費が３，６００円である場合、選出処理部２１２は、クーポンを利用した場合に得られる利益が３，６００円以上となるような有料会員用クーポンを、提示用クーポンとして選出する。また、例えば、前記特定期間が６ヶ月間であり、入会費が５００円、月会費が３００円である場合、選出処理部２１２は、クーポンを利用した場合に得られる利益が２，３００円以上となるような有料会員用クーポンを、提示用クーポンとして選出する。なお、前記特定期間（例えば、１年間、６ヶ月間など）の長さは、例えば操作表示部２３を通じて、任意の長さに設定又は変更されてもよい。
【００３３】
なお、前記特定期間は、例えば、前記特定期間に対応する前記費用が前記特定期間の終了後にキャッシュバックされるお試し期間であってもよい。このようなお試し期間を設けることによって、ユーザーは前記お試し期間において実質的に無料で有料会員用クーポンの提供を受けられるので、有料会員への登録を促すことができる。また、前記特別期間は、有料会員の会費が本来の会費よりも少なくなる（例えば、半額又は無料になる）お試し期間であってもよい。このようなお試し期間を設けることによって、ユーザーの費用負担が減るため、有料会員への登録を促すことができる。
【００３４】
提示処理部２１３は、選出処理部２１２により選出された提示用クーポンの情報を、有料会員以外のユーザ（例えば、無料会員、非会員など）に提示する。例えば、提示処理部２１３は、前記提示用クーポンの情報を含む登録受付ページＰ１（図７参照）を、有料会員以外のユーザに提示してもよい。前述したように、前記提示用クーポンは、当該クーポンを利用した場合に得られる利益が前記特定期間に対応する有料会員に関する費用以上であるようなクーポンである。すなわち、前記提示用クーポンを最初に利用するだけで、ユーザは、前記特定期間（例えば、１年間のお試し期間）中の会費以上の利益を享受することができる。よって、有料会員に登録した場合に会費以上の利益を享受できるだろうかと不安に感じているユーザに対して有料会員への登録を効果的に促すことができる。
【００３５】
算出処理部２１４は、有料会員用クーポン各々について、当該有料会員用クーポンを利用した場合に得られる利益を算出する。例えば、算出処理部２１４は、有料会員用クーポンに対応する割引率と、前記有料会員用クーポンに対応する店舗の平均予算とを乗算することにより、前記有料会員用クーポンについての前記利益を算出する。例えば、前記有料会員用クーポンに対応する割引率が５０％であり、前記有料会員用クーポンに対応する店舗の平均予算が８，０００円である場合、算出処理部２１４により算出される前記利益は４，０００円となる。
【００３６】
課金処理部２１５は、有料会員として登録されているユーザから有料会員に関する費用を徴収する。例えば、課金処理部２１５は、有料会員ごとに予め登録された課金方法（例えば、銀行口座からの自動引き落とし、クレジットカード決済、電子マネー決済など）で、予め定められたタイミングで、有料会員として登録されているユーザから有料会員に関する費用を徴収する。なお、課金処理部２１５は、前記お試し期間中についての前記費用を徴収すると共に、前記お試し期間の終了後に当該徴収した費用分をキャシュバックしてもよい。例えば、課金処理部２１５は、１年間のお試し期間中には有料会員から月会費を毎月徴収し、前記お試し期間の終了後に１２ヶ月分の月会費を前記有料会員にキャッシュバックしてもよい。
【００３７】
受付処理部２１６は、提示処理部２１３による前記提示用クーポンに関する情報の提示を受けたユーザによる有料会員への登録操作を受け付ける。例えば、受付処理部２１６は、登録受付ページＰ１（図７参照）に対する特定操作（例えば、操作キーＫ１の操作）を前記登録操作として受け付ける。
【００３８】
［ユーザ端末３］
図１に示されるように、ユーザ端末３は、制御部３１、記憶部３２、操作表示部３３、及び通信Ｉ／Ｆ３４などを備える。ユーザ端末３は、例えば携帯電話、スマートフォン、タブレット端末、又はパーソナルコンピュータのような情報処理装置である。
【００３９】
ユーザ端末３のユーザは、ユーザ端末３に表示された所定のログインページにおいてユーザＩＤ及びパスワードを入力することにより特典提示装置２にログインする。これにより、特典提示装置２の制御部２１は、ログイン中のユーザを識別することが可能である。
【００４０】
通信Ｉ／Ｆ３４は、ユーザ端末３を有線又は無線で通信網Ｎ１に接続し、通信網Ｎ１を介して特典提示装置２などの外部機器との間で所定の通信プロトコルに従ったデータ通信を実行するための通信インタフェースである。
【００４１】
操作表示部３３は、各種のウェブページなどの情報を表示する液晶ディスプレイ又は有機ＥＬディスプレイのような表示部と、操作を受け付けるマウス、キーボード、又はタッチパネルなどの操作部とを備えるユーザインタフェースである。
【００４２】
記憶部３２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部３２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って特典提示装置２等の外部装置との間で通信処理を制御部３１に実行させるための制御プログラムである。
【００４３】
制御部３１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザ端末３を制御する。
【００４４】
具体的に、制御部３１は、記憶部３２に記憶されている前記ブラウザプログラムに従って各種の処理を実行することによりブラウザ処理部３１１として機能する。ブラウザ処理部３１１は、特典提示装置２から通信網Ｎ１を介して提供されるウェブページを操作表示部３３に表示させ、操作表示部３３に対する操作を特典提示装置２に入力するブラウザ処理を実行することが可能である。なお、制御部３１に含まれる一部又は全部の処理部は電子回路で構成されていてもよい。
【００４５】
［特典提示処理］
以下、図６を参照しつつ、特典提示装置２の制御部２１によって実行される特典提示処理について説明する。なお、制御部２１は、有料会員以外のユーザにより操作されるユーザ端末３から登録受付ページＰ１へのアクセス要求を受信した場合に、ユーザ端末３ごとに対応する当該特典提示処理を個別に実行する。即ち、制御部２１は、複数のユーザ端末３に対応する前記特典提示処理を時分割によって略並行して実行することがある。また、当該特典提示処理は、ユーザ端末３の所定の操作によって途中で終了されることがある。
【００４６】
また、本発明は、当該特典提示処理に含まれる一又は複数のステップを実行する特典提示方法の発明として捉えることができ、ここで説明する当該特典提示処理に含まれる一又は複数のステップが適宜省略されてもよい。なお、前記特典提示処理における各ステップは同様の作用効果を生じる範囲で実行順序が異なってもよい。さらに、ここでは制御部２１によって当該特典提示処理における各ステップが実行される場合を例に挙げて説明するが、複数のプロセッサによって当該特典提示処理における各ステップが分散して実行される特典提示方法も他の実施形態として考えられる。
【００４７】
＜ステップＳ１＞
ステップＳ１において、制御部２１は、記憶部２２から会費情報Ｄ４を取得する。当該ステップＳ１の処理は、制御部２１の取得処理部２１１により実行される。
【００４８】
＜ステップＳ２＞
ステップＳ２において、制御部２１は、有料会員に対して提供可能な有料会員用クーポン（すなわち、クーポン情報Ｄ３において「対象ユーザ」が有料会員となっているクーポン）の中から判定対象クーポンとして１つのクーポンを選択する。
【００４９】
＜ステップＳ３＞
ステップＳ３において、制御部２１は、前記判定対象クーポンを利用した場合に得られる利益を算出する。例えば、前記判定対象クーポンが「５０％割引クーポン」である場合、制御部２１は、前記判定対象クーポンの割引率（ここでは、５０％）と、前記判定対象クーポンに対応する店舗の平均予算（例えば、８，０００円）とを乗算することにより、前記判定対象クーポンについての前記利益を算出する。なお、前記判定対象クーポンの割引率の情報は、クーポン情報Ｄ３から取得される。また、前記判定対象クーポンに対応する店舗の平均予算の情報は、店舗情報Ｄ２から取得される。当該ステップＳ３の処理は、制御部２１の算出処理部２１４により実行される。
【００５０】
なお、前記判定対象クーポンが「１，０００円引きクーポン」である場合は、当該ステップＳ３で算出される利益は１，０００円となる。また、前記判定対象クーポンが、特定商品を無料でもらえる「無料クーポン」である場合は、当該ステップＳ３で算出される利益は、前記特定商品の価格と同額となる。
【００５１】
＜ステップＳ４＞
ステップＳ４において、制御部２１は、前記ステップＳ３で算出された利益が、特定期間（例えば、１年間のお試し期間）中の会費以上であるか否かを判断する。そして、前記利益が前記会費以上であると判断されると（Ｓ４：Ｙｅｓ）、処理がステップＳ５に移行する。一方、前記利益が前記会費未満であると判断されると（Ｓ４：Ｎｏ）、処理が前記ステップＳ２に戻る。そして、前記ステップＳ２において別の有料会員用クーポンが新たな判定対象クーポンとして選択される。当該ステップＳ４の処理は、制御部２１の選出処理部２１２により実行される。
【００５２】
＜ステップＳ５＞
ステップＳ５において、制御部２１は、前記判定対象クーポンを提示用クーポンとして設定する。当該ステップＳ５の処理は、制御部２１の選出処理部２１２により実行される。
【００５３】
なお、他の実施形態では、ユーザの属性情報（例えば、住所、嗜好など）に応じて提示用クーポンを絞り込んでもよい。例えば、前記提示用クーポンを、ユーザの住所から一定範囲内の店舗で利用可能なクーポンに限定してもよい。もしくは、前記提示用クーポンを、ユーザの好みの料理ジャンルの店舗で利用可能なクーポンに限定してもよい。
【００５４】
＜ステップＳ６＞
ステップＳ６において、制御部２１は、クーポン情報Ｄ３に登録されている全ての有料会員用クーポンが前記ステップＳ２において前記判定対象クーポンとして選択済みであるか否かを判断する。そして、全ての有料会員用クーポンが前記判定対象クーポンとして選択済みであると判断されると（Ｓ６：Ｙｅｓ）、処理がステップＳ７に移行する。一方、まだ前記判定対象クーポンとして選択されていない有料会員用クーポンが残っていると判断されると（Ｓ６：Ｎｏ）、処理が前記ステップＳ２に戻る。そして、前記ステップＳ２において別の有料会員用クーポンが新たな判定対象クーポンとして選択される。
【００５５】
＜ステップＳ７＞
ステップＳ７において、制御部２１は、登録受付ページＰ１を表示する。登録受付ページＰ１には、前記ステップＳ５において前記提示用クーポンとして設定された一又は複数の有料会員用クーポンの情報が含まれる。例えば、図７に示される登録受付ページＰ１には、店舗Ｄで利用可能な「５０％割引クーポン」の情報と、当該クーポンを利用するだけでお試し期間中の会費以上の利益が得られることを示すメッセージが含まれる。これにより、有料会員に登録した場合に会費以上の利益を享受できるだろうかと不安に感じているユーザに対して有料会員への登録を効果的に促すことができる。また、登録受付ページＰ１には、有料会員に登録するための操作キーＫ１が含まれている。当該操作キーＫ１が操作されると、有料会員への登録手続きが開始される。当該ステップＳ７の処理は、制御部２１の提示処理部２１３により実行される。
【００５６】
以上説明したように、本実施形態に係る特典提示システム１では、クーポン情報Ｄ３に登録されている全ての有料会員用クーポンの中から、クーポンを利用した場合に得られる利益が特定期間中の会費以上であるような有料会員用クーポンが提示用クーポンとして選出される。そして、登録受付ページＰ１において、前記提示用クーポンの情報がユーザに提示される。よって、本実施形態に係る特典提示システム１によれば、有料会員への登録を効果的に促すことが可能である。
【００５７】
［変形例］
なお、図７に示される登録受付ページＰ１では１つの有料会員用クーポンの情報が表示されているが、クーポンを利用した場合に得られる利益が特定期間中の会費以上であるような有料会員用クーポンが複数存在する場合には、これらの複数の有料会員用クーポンの情報が登録受付ページＰ１に表示されてもよい。
【００５８】
また、本実施形態では、登録受付ページＰ１を通じて前記提示用クーポンの情報がユーザに提示されるが、本発明はこれに限定されない。他の実施形態では、例えば、特典提示装置２からユーザ端末３宛てに送信される電子メールを通じて、前記提示用クーポンの情報がユーザに提示されてもよい。
【００５９】
また、本実施形態では、ユーザ端末３から登録受付ページＰ１へのアクセス要求を受信した場合に、前記ステップＳ１〜Ｓ５の処理が実行されて、前記提示用クーポンが選出されるが、本発明はこれに限定されない。他の実施形態では、予め定められた選出タイミング（例えば、操作表示部２３に対する特定操作が行われた時点、クーポン情報Ｄ３が更新された時点など）で前記提示用クーポンが選出されてもよい。そして、ユーザ端末３から登録受付ページＰ１へのアクセス要求を受信した場合に、直前の前記選出タイミングで選出された前記提示用クーポンがユーザに提示されてもよい。
【００６０】
また、本実施形態では、有料会員用クーポンの情報がユーザに提示されるが、他の実施形態では、有料会員に対して提供される任意の特典（例えば、物品、ポイント、サービスなど）の情報がユーザに提示されてもよい。
【００６１】
また、本実施形態では、特典提示装置２が、飲食店に関する情報を提供する機能を備えているが、本発明はこれに限定されない。他の実施形態では、飲食店に関する情報を提供する機能を備えるサーバが、特典提示装置２とは独立して設けられてもよい。この場合、例えば、ユーザ情報Ｄ１及び店舗情報Ｄ２が、前記サーバに記憶されてもよい。そして、特典提示装置２が、必要に応じて前記サーバにアクセスして、ユーザ情報Ｄ１及び店舗情報Ｄ２を参照してもよい。
【符号の説明】
【００６２】
１      特典提示システム
２      特典提示装置
２１    制御部
２１１  取得処理部
２１２  選出処理部
２１３  提示処理部
２１４  算出処理部
２１５  課金処理部
２１６  受付処理部
３      ユーザ端末
【図１】
2019135582.tif 000003
【図２】
2019135582.tif 000004
【図３】
2019135582.tif 000005
【図４】
2019135582.tif 000006
【図５】
2019135582.tif 000007
【図６】
2019135582.tif 000008
【図７】
2019135582.tif 000009